(57)【要約】【課題】  周囲を植物支持体で囲まれた植生空間を効率的に形成できるだけでなく、大きな外力が加えられた場合であっても容易に破損しない植生保全ブロックを提供する。【解決手段】  植物の倒伏を防止するための植物支持体２０が基盤４０の上側に配されてなる植生保全ブロック１０において、複数の植生保全ブロック１０を敷き詰めた際に、一の植生保全ブロックの植物支持体が、該一の植生保全ブロックの周囲に敷き詰められた他の植生保全ブロックの植物支持体と連接されることによって、各植物支持体の間に周囲を植物支持体で囲まれた植生空間が形成されるようにした。【選択図】  図１
2005061053.tif 000002
【特許請求の範囲】
【請求項１】
植物の倒伏を防止するための植物支持体が基盤の上側に配されてなる植生保全ブロックにおいて、複数の植生保全ブロックを敷き詰めた際に、一の植生保全ブロックの植物支持体が、該一の植生保全ブロックの周囲に敷き詰められた他の植生保全ブロックの植物支持体と連接されることによって、各植物支持体の間に周囲を植物支持体で囲まれた植生空間が形成されることを特徴とする植生保全ブロック。
【請求項２】
前記植物支持体が、水平方向に突出した複数の凸部を有する形状からなり、複数の植生保全ブロックを敷き詰めた際に、一の植物支持体の凸部の先端部が、該一の植物支持体の周囲に配された他の植物支持体の凸部の先端部と連接される請求項１記載の植生保全ブロック。
【請求項３】
前記植物支持体が、水平方向に貫通した開口部を有する請求項１又は２記載の植生保全ブロック。
【請求項４】
前記植物支持体の平面視形状が、「十」の字形である請求項１〜３いずれか記載の植生保全ブロック。
【請求項５】
前記植物支持体の内部に、上方が開放された中空部が設けられてなる請求項１〜４いずれか記載の植生保全ブロック。
【請求項６】
前記植物支持体の平面視形状が、「井」の字形である請求項５記載の植生保全ブロック。
【請求項７】
前記基盤に上下方向の貫通孔が設けられてなる請求項１〜６いずれか記載の植生保全ブロック。
【請求項８】
前記基盤に上下方向の貫通溝が設けられ、複数の植生保全ブロックを敷き詰めた際に、一の基盤に設けられた貫通溝が、該一の基盤の周囲に配された他の基盤に設けられた貫通溝と組み合わされることによって、新たな貫通孔が、周囲を植物支持体で囲まれた植生空間の下側に形成される請求項１〜７いずれか記載の植生保全ブロック。
【請求項９】
前記基盤の平面視形状が四角形である請求項１〜８いずれか記載の植生保全ブロック。
【請求項１０】
植物支持体が基盤の上面に配されてなる植生保全ブロックを水際部に敷き詰める植生保全ブロックの施工方法において、一の植物支持体と該一の植物支持体の周囲に配置される他の植物支持体とを連接することによって、周囲を植物支持体で囲まれた植生空間を各植物支持体の間に形成することを特徴とする植生保全ブロックの施工方法。
【請求項１１】
複数個の植生保全ブロックを水際部に敷き詰めた後、周囲を植物支持体で囲まれた植生空間の内部に、石、土又は砂を投入する請求項１０記載の植生保全ブロックの施工方法。
【発明の詳細な説明】
【技術分野】
【０００１】
本発明は、土壌の保護と緑化を図るための植生保全ブロックに関する。特に、植物の倒伏を防止することが可能なものに関する。また、植生保全ブロックを水際部に敷き詰める植生保全ブロックの施工方法に関する。
【背景技術】
【０００２】
萱葺き屋根の屋根材として古くから利用されてきたヨシは、現在においても、簾などの原材料として使用されているだけでなく、それが有する水質浄化作用のために、河川や沼湖の環境を保全又は改善する植物として注目を集めている。しかし、その一方で、野生のヨシが植生するヨシ原は、近年盛んに行われた河川工事や、船舶が通過した際に生じる航走波などの影響によって年々縮小してきており、現在は僅かなものとなっている。このため、ヨシの生育に適した構造を有する植生保全ブロックを、河川や沼湖などの水際部に施工して、ヨシ原を造成することが行われるようになってきている。
【０００３】
例えば、特開平１０−２８０４１７号公報（特許文献１）には、水辺の法面上に敷設可能な耐久性を有する繊維材からなる吸出し防止用マットと、吸出し防止用マットの上に敷設される有底のコンクリート枠体と、コンクリート枠体内に収納されるポケット穴付きの植生マットと、植生マットのポケット穴に植設されるポット苗とからなり、コンクリート枠体の底部に、通根用又は排水用の小孔が開設されていることを特徴とする水辺ブロック植生構造体が記載されている。これにより、法面の洗掘を防止することや、ヨシなどの水辺植物を水流のある場所に定植させることが可能になるとされている。このとき、コンクリート枠体内に収納した植生マットのポケット穴と対応する開口を有する蓋体を、植生マットを覆うようにコンクリート枠体に上載することについても記載されている。これにより、さらに効果的に生育基盤材やポット苗の流亡を防ぐことが可能になるとされている。
【０００４】
【特許文献１】特開平１０−２８０４１７号公報（特許請求の範囲、発明の効果、図１、図３）
【発明の開示】
【発明が解決しようとする課題】
【０００５】
しかし、特許文献１に記載された水辺ブロック植生構造体は、ポケット穴と対応する開口を有する蓋体を使用しない場合には、ヨシなどの背高の植物の生育に適した植生空間を１ブロックあたり１つしか形成することができないものである。また、その蓋体を使用した場合には、蓋体で覆われていて植物が生育できない部分が多く生じるものである。さらに、流木などによって大きな外力が加えられると容易に破損するおそれがあるものである。
【０００６】
本発明は、上記課題を解決するためになされたものであり、周囲を植物支持体で囲まれた植生空間を効率よく形成できるだけでなく、植物が生育できる場所を広い範囲で確保することも可能な植生保全ブロックを提供することを目的とする。また、大きな外力が加えられた場合であっても容易に破損しない植生保全ブロックを提供することも本発明の目的である。さらに、ヨシなどの背高の植物が生育するのに好ましい植生域を河川や沼湖の水際部に効率的に造成することが可能な植生保全ブロックの施工方法を提供することも本発明の目的である。
【課題を解決するための手段】
【０００７】
上記課題は、植物の倒伏を防止するための植物支持体が基盤の上側に配されてなる植生保全ブロックにおいて、複数の植生保全ブロックを敷き詰めた際に、一の植生保全ブロックの植物支持体が、該一の植生保全ブロックの周囲に敷き詰められた他の植生保全ブロックの植物支持体と連接されることによって、各植物支持体の間に周囲を植物支持体で囲まれた植生空間が形成されることを特徴とする植生保全ブロックを提供することによって解決される。これにより、植生保全ブロックを、強度と経済性とが兼ね備えられたものとすることが可能となる。また、植物支持体の形状によっては、１つの植生保全ブロックで複数の植生空間を形成することも可能となる。
【０００８】
このような植生保全ブロックの好適な態様として、植物支持体が、水平方向に突出した複数の凸部を有する形状からなり、複数の植生保全ブロックを敷き詰めた際に、一の植物支持体の凸部の先端部が、該一の植物支持体の周囲に配された他の植物支持体の凸部の先端部と連接されるものが例示される。より具体的には、植物支持体の平面視形状が、「井」の字形であるもの（以下、井の字タイプの植生保全ブロックと呼ぶことがある）や、「十」の字形であるもの（以下、十の字タイプの植生保全ブロックと呼ぶことがある）が好適な態様として例示される。井の字タイプの植生保全ブロックのように、植物支持体の内部に、上方が開放された中空部が設けられている場合には、ヨシなどの背高の植物の生育に適した植生空間を、さらに数多く確保することが可能となる。
【０００９】
植物支持体が、水平方向に貫通した開口部を有することが好ましい。これにより、複数の植生空間が一体的に繋がり、植物の根が水平方向に広がることが可能となる。また、前記基盤に上下方向の貫通孔が設けられてなることも好ましい。これにより、植生空間で生育する植物の根が、基盤の下側の土壌にまで伸びることが可能となる。さらに、前記基盤に上下方向の貫通溝が設けられ、複数の植生保全ブロックを敷き詰めた際に、一の基盤に設けられた貫通溝が、該一の基盤の周囲に配された他の基盤に設けられた貫通溝と組み合わされることによって、新たな貫通孔が、周囲を植物支持体で囲まれた植生空間の下側に形成されることも好ましい。これにより、各植物支持体の間に形成される植生空間の下側に、貫通孔を容易に形成することが可能となる。
【００１０】
前記基盤の平面視形状は、実質的に敷き詰めることが可能な形状であれば特に限定されない。ここで、実質的に敷き詰めることが可能な形状とは、三角形や正六角形など、隙間なく敷き詰めることが可能な形状だけでなく、その他、正八角形など、敷き詰めると一部に隙間は生じるが、その隙間が周期的に繰り返されて形成される形状をも含む。なかでも、四角形であることが好ましい。これにより、植生保全ブロックを、施工や製造の容易なものとすることが可能となる。基盤の平面視形状は、平行四辺形であるとより好ましく、長方形や菱形であるとさらに好ましく、正方形であると最適である。
【００１１】
また、上記課題は、植物支持体が基盤の上面に配されてなる植生保全ブロックを水際部に敷き詰める植生保全ブロックの施工方法において、一の植物支持体と該一の植物支持体の周囲に配置される他の植物支持体とを連接することによって、周囲を植物支持体で囲まれた植生空間を各植物支持体の間に形成することを特徴とする植生保全ブロックの施工方法を提供することによっても解決される。複数個の植生保全ブロックを水際部に敷き詰めた後、周囲を植物支持体で囲まれた植生空間の内部に、石、土又は砂を投入することも好ましい。
【発明の効果】
【００１２】
本発明の植生保全ブロックは、周囲を植物支持体で囲まれた植生空間を効率的に形成できるだけでなく、大きな外力が加えられた場合であっても容易に破損しないものである。また、本発明の植生保全ブロックの施工方法は、ヨシなどの背高の植物が生育するのに好ましい植生域を河川や沼湖の水際部に効率的に造成することが可能なものである。
【発明を実施するための最良の形態】
【００１３】
以下、図面を使用して、本発明の植生保全ブロックをより詳細に説明する。図１は、井の字タイプの植生保全ブロックを示した斜視図である。図２は、井の字タイプの植生保全ブロックを示した平面図である。図３は、井の字タイプの植生保全ブロックを示した側面図である。図４は、複数の井の字タイプの植生保全ブロックを敷き詰めた状態を示した斜視図である。図５は、複数の井の字タイプの植生保全ブロックを敷き詰めた状態を示した平面図である。図６は、井の字タイプの植生保全ブロックを施工した状態を示した斜視図である。図７は、十の字タイプの植生保全ブロックを示した斜視図である。図８は、十の字タイプの植生保全ブロックを示した平面図である。図９は、十の字タイプの植生保全ブロックを示した側面図である。図１０は、複数の十の字タイプの植生保全ブロックを敷き詰めた状態を示した斜視図である。図１１は、複数の十の字タイプの植生保全ブロックを敷き詰めた状態を示した平面図である。
【００１４】
本発明の植生保全ブロックは、複数敷き詰められた際に、一の植生保全ブロックの植物支持体が、該一の植生保全ブロックの周囲に敷き詰められた他の植生保全ブロックの植物支持体と連接されることによって、各植物支持体の間に周囲を植物支持体で囲まれた植生空間が形成されるものである。これにより、植物支持体の外側の空間を、植生空間として無駄なく有効に利用することが可能となる。
【００１５】
このような植生保全ブロックの好適な実施態様として、図１〜図３に示すように、植物支持体の平面視形状が「井」の字形のもの（井の字タイプ）と、図７〜図９に示すように、植物支持体の平面視形状が「十」の字形のもの（十の字タイプ）とがある。以下においては、井の字タイプの植生保全ブロックを中心に説明するが、その中で言及された構成は、十の字タイプの植生保全ブロックにおいて採用することが不可能なものであるということが本発明の趣旨から自明でない限り、十の字タイプの植生保全ブロックにおいても採用することが可能なものである。
【００１６】
井の字タイプの植生保全ブロック１０は、図１〜図３に示すように、平面視形状が、「井」の字形の植物支持体２０が、基盤４０の上側に配されてなる。植物支持体２０と基盤４０は、それぞれが別個に成形されたものであってもよいが、本実施態様においては、それぞれが一体的に成形されたものとなっている。通常、この植生保全ブロック１０は、素材を型枠に流し込んで固化させることによって成形される。固化させる素材は、強度や耐久性を考慮すれば、コンクリートを使用することが好ましい。植生保全ブロック１０の強度をさらに向上させたい場合には、素材の内部に鉄筋などの補強材を配してもよい。
【００１７】
植物支持体２０は、ヨシなどの背高の植物が生育するのに適した植生空間を形成する仕切りとしての機能を有しており、植生空間で生育する植物の茎部や、植生空間に投入された石などを支持するためのものである。この植物支持体２０は、複数の縦壁によって植生空間を形成するものであってもよいが、本実施態様の植物支持体２０は、一体的に成形された、４つの柱部２１と4つの梁部２２と8つの凸部２３とによって、植生空間を形成するものである。このうち、主に、梁部２２と凸部２３が、植物の茎部を支持する。この植物支持体２０は、基盤４０の上方の空間の大部分を植生空間として機能させることが可能なものである。
【００１８】
植物支持体２０の内部には、図２に示すように、上方が開放された中空部６０が形成  されている。この中空部６０は、周囲を梁部２２によって囲まれているために、ヨシなどの背高の植物が生育する植生空間として好適である。植物支持体２０の内部に、中空部６０を複数設けてもよい。中空部６０の形状は、特に限定されるものではないが、上側になればなるほどその水平断面が広くなる形状であることが好ましい。中空部６０は、型を上方に抜くことによって形成されるのが通常であるが、このような形状にすることによって、その型抜きを容易に行うことが可能となるからである。
【００１９】
また、植物支持体２０の外側には、１つの梁部２２と２つの凸部２３とによって３辺（実際には面）が形成された空間６１と、２つの凸部２３によって２辺（実際には面）が形成された空間６２とが存在する。これらの空間は、図４と図５に示すように、複数の植生保全ブロック１０が敷き詰められた際に、周囲に配された他の空間と組み合わさることによって、周囲を植物支持体で囲まれた植生空間となる。図５において、周囲を植物支持体によって完全に囲まれた植生空間は、斜線部によって示してある。
【００２０】
植物支持体２０の４つの柱部２１の間には、図３に示すように、水平方向に貫通した開口部２４が形成されている。これにより、植生空間で生育する植物は、水平方向に根を伸ばすだけでなく、柱部２１に根を絡ませることも可能となる。また、水平方向における土壌の繋がりや通水性を確保して、各植生空間を、植物が生育するのにさらに適したものとすることも可能となる。開口部２４の形状は、特に限定されるものではないが、外側になればなるほどその鉛直断面が広くなる形状であることが好ましい。開口部２４は、型を水平方向外側に抜くことによって形成されるのが通常であるが、このような形状とすることによって、その型抜きを容易に行うことが可能となるからである。凸部２３と基盤４０との間には、複数の植生保全ブロック１０が敷き詰められた際に、開口部２４と同様の効果を奏する空間２５を形成することができる。
【００２１】
基盤４０は、施工面の土壌が流出するのを防止するとともに、植生保全ブロック１０を安定的に設置できるものとする。本実施態様において、基盤４０の平面視形状は、図１〜図３に示すように、正方形となっている。平面視形状が正方形の基盤は、平面視形状が「井」の字形や「十」の字形の植物支持体と組み合わせることが好適である。また、基盤４０の中央部には、図２に示すように、上下方向の貫通孔４１が設けられている。これにより、植生空間で生育する植物は、基盤４０の下側の土壌中に深く根を伸ばすことが可能となる。貫通孔４１の形状は、特に限定されるものではないが、上側になればなるほどその水平断面が広くなる形状であることが好ましい。貫通孔４１は、型を上方に抜くことによって形成されるのが通常であるが、このような形状とすることによって、その型抜きを容易に行うことが可能となるからである。本実施態様において、貫通孔４１は、基盤４０の上面側の開口部が直径１４０ｍｍの円形で、基盤３０の底面側の開口部が直径８０ｍｍの円形のテーパー形状となっている。
【００２２】
基盤４０の縁部には、図１〜図３に示すように、上下方向の貫通溝４２、４３が設けられている。貫通溝４２は、基盤４０の辺部に設けられており、貫通溝４３は、基盤４０の角部に設けられている。これらの貫通溝は、図４と図５に示すように、複数の植生保全ブロック１０を敷き詰めた際に、他の貫通溝と組み合わさって各基盤の境界部に新たな貫通孔を形成する。これにより、植物支持体２０の外側に新たに形成される植生空間の下側にも、貫通孔４１と同様の機能を有する上下方向の貫通孔を形成することが可能となる。貫通溝４２、４３の寸法や形状は、特に限定されないが、本実施態様において、貫通溝４２の水平断面は、直径１００ｍｍの半円形となっており、貫通溝４３の水平断面は、直径が２００ｍｍで中心角が９０度の扇形となっている。
【００２３】
植生保全ブロック１０の周縁部には、図１〜図３に示すように、連結リング５０が設けられている。これにより、複数の植生保全ブロック１０を相互に連結して固定することが可能となる。連結リング５０を設ける位置は、植物支持体２０の周縁部であってもよいが、本実施態様においては、基盤４０の角部（四隅）に設けている。基盤４０の辺部ではなく、角部に設けたのは、１箇所で４つの植生保全ブロック１０を連結できるためである。本実施態様においては、連結リング５０を使用しているが、これに限定されるものではなく、各種の連結用の部材を使用することができる。植生保全ブロック１０の連結は、図示省略のワイヤロープなどを、複数の環状金具の環状部に通して結ぶことによって行うと好ましい。これにより、複数の植生保全ブロック１０を容易に連結することが可能となる。
【００２４】
図４と図５は、複数の井の字タイプの植生保全ブロック１０を敷き詰めた状態を示したものであるが、図５を見ると、本実施態様の井の字タイプの植生保全ブロック１０は、１ブロックあたり、植生空間を４つ形成することが可能なものであることが分かる。すなわち、井の字タイプの植生保全ブロック１０は、単独で１つの植生空間を形成する中空部６０を１つ、２つ組み合わさることによって１つの植生空間を形成する空間６１を４つ、４つ組み合わさることによって１つの植生空間を形成する空間６２を４つ有している（図２）。また、各植生空間を形成する植物支持体２０は、各植生空間の境界部で２重に重なることなく、全ての境界部で１重となっており、この植生保全ブロック１０が、植生空間の確保や強度の観点から優れたものであるということも分かる。
【００２５】
植物支持体２０で形成される植生空間の寸法は、そこで生育させる植物の種類などによっても異なり、適宜調整される。植物支持体２０の高さは、通常１００〜５００ｍｍに設定される。特に、ヨシなどの植物を生育させる場合には、２００〜４００ｍｍであることが好ましい。本実施態様において、植生空間の高さは３００ｍｍとなっている。また、植生空間の平面視形状を正方形と仮定した場合には、その１辺の長さは、通常２００〜１０００ｍｍである。特に、ヨシなどの植物を生育させる場合には、７００ｍｍ以下であることが多い。本実施態様において、図５に示すＬ２の長さは５４０ｍｍとなっており、同じく図５に示すＬ３の長さは３００ｍｍとなっている。
【００２６】
柱部２１の高さ、梁部２２の長さ、又は、凸部２３の基端から先端までの長さなどの植物支持体２０の各部の寸法は、所望の植生空間の寸法に見合うように調整される。また、基盤４０の寸法も、植物支持体２０の寸法に見合うように調整されるが、本実施態様においては、その平面視形状は、１辺が１０００ｍｍの正方形となっている。その他、図５に示すＬ１の長さ（梁部と凸部の幅）は、梁部２２の長さやなどによって異なるが、本実施態様においては、約８０ｍｍとなっている。
【００２７】
また、図１０と図１１は、図７〜図９に示す十の字タイプの植生保全ブロック１１を敷き詰めた状態を示したものである。図１１において、周囲を植物支持体３０によって完全に囲まれた植生空間を、斜線部によって示してある。図１１を見ると、本実施態様の十の字タイプの植生保全ブロック１１は、１ブロックあたり、植生空間を２つ形成することが可能なものであることが分かる。すなわち、十の字タイプの植生保全ブロック１１は、２つ組み合わさることによって１つの植生空間を形成する空間６３を４つ有している。また、各植生空間を形成する植物支持体２５は、各植生空間の境界部で２重に重なることなく、全ての境界部で１重となっており、この植生保全ブロック１１も、井の字タイプの植生保全ブロックと同様に、植生空間の確保や強度の観点から優れたものであるということが分かる。十の字タイプの植生保全ブロック１１は、形成することが可能な植生空間の数が、井の字タイプの植生保全ブロック１０と比較して少ないのが通常であるが、その分、寸法を小さくすることが可能である。また、型抜きが簡単で製造が容易なものである。
【００２８】
続いて、本発明の植生保全ブロックの施工方法について説明する。本発明の植生保全ブロックの施工は、図４と図５、又は、図１０と図１１に示すように、複数の植生保全ブロックを、一の植物支持体と該一の植物支持体の周囲に配置される他の植物支持体とを連接しながら敷き詰めることによって行われる。このように施工することで、周囲を植物支持体で囲まれた植生空間を各植物支持体の間に効率的に形成することが可能となる。植生保全ブロックを敷き詰めた後、植生空間の内部に、石、土又は砂を投入することも好ましい。これにより、植生空間を、植物が生育するのにさらに適したものとすることが可能となる。また、植生保全ブロックの位置ずれを防止することも可能となる。図６は、この施工の一例を示したものであり、複数の井の字タイプの植生保全ブロック１０を敷き詰めた後、各植生空間の内部に石８０と土８１とを投入した状態を示したものである。植生空間で生育させる植物７０は、ヨシ、ガマ、カヤツリグサ、イタチハギ、キショウブ、ネコヤナギなどの茎部が細長い背高の植物であれば特に限定されないが、本実施態様においては、ヨシを生育させている。
【図面の簡単な説明】
【００２９】
【図１】井の字タイプの植生保全ブロックを示した斜視図である。
【図２】井の字タイプの植生保全ブロックを示した平面図である。
【図３】井の字タイプの植生保全ブロックを示した側面図である。
【図４】複数の井の字タイプの植生保全ブロックを敷き詰めた状態を示した斜視図である。
【図５】複数の井の字タイプの植生保全ブロックを敷き詰めた状態を示した平面図である。
【図６】井の字タイプの植生保全ブロックを施工した状態を示した斜視図である。
【図７】十の字タイプの植生保全ブロックを示した斜視図である。
【図８】十の字タイプの植生保全ブロックを示した平面図である。
【図９】十の字タイプの植生保全ブロックを示した側面図である。
【図１０】複数の十の字タイプの植生保全ブロックを敷き詰めた状態を示した斜視図である。
【図１１】複数の十の字タイプの植生保全ブロックを敷き詰めた状態を示した平面図である。
【符号の説明】
【００３０】
１０  井の字タイプの植生保全ブロック
１１  十の字タイプの植生保全ブロック
２０  井の字タイプの植生保全ブロックの植物支持体
２１  柱部
２２  梁部
２３  凸部
２４  開口部
２５  空間
３０  十の字タイプの植生保全ブロックの植物支持体
３１，３２  柱部
３３  梁部
４０  基盤
４１  貫通孔
４２，４３  貫通溝
４４  切欠
５０  連結リング
６０  中空部（植生空間）
６１，６２，６３  空間
７０  植物
８０  石
８１  土
【図１】
2005061053.tif 000003
【図２】
2005061053.tif 000004
【図３】
2005061053.tif 000005
【図４】
2005061053.tif 000006
【図５】
2005061053.tif 000007
【図６】
2005061053.tif 000008
【図７】
2005061053.tif 000009
【図８】
2005061053.tif 000010
【図９】
2005061053.tif 000011
【図１０】
2005061053.tif 000012
【図１１】
2005061053.tif 000013